(57)【要約】      （修正有）【課題】利用者が作成した楽曲を、カラオケ店に設置してある専用カラオケ装置でダウンロードできるようにする。【解決手段】伴奏音声データ３をＭＰ３形式とし、メロディ楽譜データ１をＭＩＤＩ形式とし、歌詞データ２をテキスト形式として入力して作成した汎用仕様データから、専用仕様のカラオケコンテンツデータを作成できる、カラオケ生成アプリケーションプログラム４を提供し、それによって作成された専用カラオケ形式のカラオケコンテンツ５を専用カラオケ装置でダウンロードして再生するネットワークカラオケシステム。【選択図】図１
2015108700.tif 000002
【特許請求の範囲】
【請求項１】
専用仕様のカラオケコンテンツを再生する専用カラオケ装置と利用者の作成したコンテンツをネットワーク内のサーバにアップロードして、カラオケ専用機でダウンロードできるネットワーク環境を有するネットワークカラオケシステムにおいて、
ＭＰ３に代表される所定の規格に準拠した伴奏の音声データと、
ＭＩＤＩコードに代表される所定の規格に準拠したコードで表現されたカラオケメロディの楽譜データと
テキストファイル等の所定の規格に準拠した形式の歌詞データを入力して、
歌詞データを所定のタイミングで同期して、少なくとも、カラオケ伴奏・ガイドメロディ・歌詞表示・塗表示を含む専用仕様のカラオケコンテンツデータを作成することができるアプリケーションプログラムを提供し、
利用者が汎用仕様のデータから、専用仕様のカラオケコンテンツを作成し、専用カラオケ装置で再生することができるネットワークカラオケシステム。
【発明の詳細な説明】
【技術分野】
【０００１】
本発明は、カラオケ利用者が、汎用のフォーマットで作成したコンテンツを、特定の業務用通信カラオケの形式に出力する技術に関する。
【背景技術】
【０００２】
通信カラオケシステム以前のカラオケ装置においては、伴奏音楽を生録音したカラオケ作品が用いられていた。しかし通信カラオケシステムの普及とともに、データ量が増大することを防ぐため、ＭＩＤＩ形式による音符電子データによるカラオケ作品の提供が行われるようになった。
【０００３】
通信カラオケシステムにおいては、ＭＩＤＩ形式の音符電子データで伴奏音楽を記述したカラオケソフト（カラオケ作品）が採用された。音符電子データによるカラオケ作品は、カラオケ装置に搭載された音源によって演奏処理されて伴奏音楽が音響出力される。
【０００４】
しかし、音質の良さといった観点で、生録音タイプのカラオケも見直されている。
その背景としては、光回線の普及など通信回線の高速化があげられる。
【０００５】
また、現在のカラオケのコンテンツには、ＭＩＤＩの楽譜データのほかに、楽曲名・作詞作曲者情報・歌詞情報・歌唱位置を表示する塗情報・ＭＰ３音声データ・背景映像などがカラオケ各社各様に複雑に入れ込まれている。
【０００６】
一方、カラオケの利用者の中には、自作のコンテンツをカラオケ店舗で歌いたいという要求も出てきている。コンテンツを自作する環境では、自分で生録音した音声データや楽譜データ、歌詞データなどがバラバラに存在し、そのままではカラオケコンテンツになりえない。
【０００７】
そこで、カラオケコンテンツを作成するツールや方法は各社から提案されている。
【先行技術文献】
【特許文献】
【０００８】
【特許文献１】特許４４４７５６７号公報
【非特許文献】
【０００９】
【非特許文献１】簡単ＭＩＤＩ入力ツール First Song Editor  http://www.asahi-net.or.jp/~hb9t-ktd/music/Japan/Soft/FirstSong.html
【発明の概要】
【００１０】
特許文献１は、ＭＩＤＩタイプのカラオケ作品に含まれている歌唱旋律データを流用して簡単に生録音タイプのカラオケ作品に歌唱旋律データを付加するというものである。
【００１１】
非特許文献１のFirst Song Editorは、メロディとコード進行を入力すると、伴奏付きのＭＩＤＩを生成するツールで、歌詞を入力して、カラオケ用のＸＦ形式のＭＩＤＩファイルを作成することもでき、ＰＣ用のカラオケＭＩＤＩを作って演奏させることができるというものである。
【発明が解決しようとする課題】
【００１２】
特許文献１は生録音タイプのカラオケ作品とＭＩＤＩタイプのカラオケ作品がすでに存在することが前提となっており、作成も演奏もカラオケ専用機に閉じた技術である。
非特許文献１のFirst Song Editorは、メロディとコード進行、および歌詞を入力することでカラオケ用のＭＩＤＩファイルを作成するというものであるが、ここで作成されるのはＰＣ環境で演奏することが前提となっており、市中のカラオケ店のカラオケ専用機で楽しむための形式ではない。
【００１３】
前述したように、カラオケファイルの形式は各社各様でありその形式は公開されていない、いわゆるブラックボックスである。そのため、利用者が自分で特定の業務用カラオケコンテンツを作成することはできなかった。
【００１４】
また、世の中には「SMF with Lyrics」という汎用フォーマットが存在し、ＭＩＤＩデータに歌詞データを付加してオリジナルのコンテンツを作成することは可能であるが、市中のカラオケボックスで再生できる業務用の専用フォーマットではないため、このコンテンツをカラオケボックスで使用することはできない。
【課題を解決するための手段】
【００１５】
上記の課題に鑑み、本発明の請求項１は、
専用仕様のカラオケ専用コンテンツを再生する特定の業務用カラオケ装置と利用者の作成したコンテンツをネットワーク内のサーバにアップロードして、カラオケ専用機でダウンロードできるネットワーク環境を有するネットワークカラオケシステムにおいて、利用者が、
ＭＰ３に代表される所定の規格に準拠した伴奏の音声データと、
ＭＩＤＩコードに代表される所定の規格に準拠したコードで表現されたカラオケメロディの楽譜データと、
テキストファイル等の所定の規格に準拠した形式の歌詞データを入力して、
歌詞データを所定のタイミングで同期して、少なくともカラオケ伴奏・ガイドメロディ・歌詞表示・塗表示を含む特定の業務用仕様のカラオケコンテンツデータを作成することができるアプリケーションプログラムを提供し、
利用者が汎用仕様のデータから、専用仕様のカラオケコンテンツを作成し、特定の業務用専用カラオケ装置で再生することができるネットワークカラオケシステムである。
【００１６】
また前記で提供されるアプリケーションプログラムは、利用者のＰＣに実装するネイティブアプリケーションであってもよいし、専用サーバ上で動作し、利用者のＰＣのブラウザにより利用できるＷｅｂアプリケーションであってもよい。
【００１７】
ＰＣに実装するネイティブアプリケーションとＷｅｂアプリケーションとでは一長一短があるが、一般に、ＰＣのアプリケーションはソフトウエアを利用者のＰＣ環境に実装した状態で実行されるため、Ｗｅｂアプリケーションに比べ、高速な処理が期待でき、またネットワーク環境がなくても使用できるという利点がある。
【００１８】
一方、Ｗｅｂアプリケーションは、ソフトウエアを利用者の環境に送ることをせず専用サーバ上に置くため、リリース／バグフィックス時にプログラムを配布する必要がないためアップデートがし易く、また利用されることに不都合が生じた際は、サービスを停止することも容易であるため、サービス提供者側にとっては好都合である。また利用者のＯＳ環境に依存せずブラウザで対応できることや、利用者にプログラムを渡すことで本来クローズである業務用カラオケフォーマットへの変換処理が利用者に解析されるリスクを回避する事ができることもＷｅｂアプリケーションの利点と言える。  
【発明の効果】
【００１９】
これにより、利用者は自作の楽曲や、カラオケ店に配信されていない曲のカラオケ生成が可能となる。
【図面の簡単な説明】
【００２０】
【図１】本発明の請求項１のイメージを示した説明図である。
【図２】本発明のネットワーク構成を示した説明図である。
【発明を実施するための形態】
【００２１】
図１に示すように、当発明において、ＭＩＤＩ形式のメロディ楽譜データ１に、テキスト形式の歌詞データ２、ＭＰ３形式の伴奏音声データ３をカラオケ生成ツール４により所定のタイミングで同期処理して、特定の業務用カラオケ装置で演奏できる形式のカラオケコンテンツ５を出力する。
【００２２】
図２は、本発明による運用例の接続図である。
利用者は、例えば自宅などで利用者ＰＣ６により汎用フォーマットの楽譜データ（ＭＩＤＩ）、伴奏用の音声データ（ＭＰ３）、歌詞データ（テキスト）をカラオケ生成ツール１２に入力して特定の業務用カラオケ専用フォーマットでカラオケコンテンツを作成する。利用者は、作成した専用カラオケコンテンツをインターネットなど汎用ネットワーク７により、専用サーバ８にアップロードし、カラオケ店１０を訪れた際に専用サーバ８よりカラオケ専用ネットワーク９を経由してカラオケ専用機１１に当該コンテンツをダウンロードして歌唱することができる。
【００２３】
図２の例では、「汎用フォーマット→専用カラオケフォーマット」の流れは一方通行とし逆を認めないようにしているが、これはセキュリティ運用上の都合であり技術的制約ではないため、可逆変換を認めるものであってもよい。
また、カラオケ専用機１１から専用サーバ８へのアップロード、専用サーバ８から利用者ＰＣ６へのダウンロードも、著作権処理されたカラオケコンテンツが容易に市中に流出することを避ける目的で制限することも考えられる。
【産業上の利用可能性】
【００２４】
これにより、利用者は、カラオケ店に配信されていない曲や、自ら作曲した楽曲をカラオケフォーマットで作成してカラオケ店で歌唱することができる。
【符号の説明】
【００２５】
１・・・・メロディ楽譜データ（ＭＩＤＩ形式）
２・・・・歌詞データ（テキスト形式）
３・・・・伴奏音声データ（ＭＰ３形式）
４・・・・カラオケ生成ツール
５・・・・カラオケコンテンツ（専用カラオケ形式）
６・・・・利用者ＰＣ
７・・・・汎用ネットワーク
８・・・・専用サーバ
９・・・・専用ネットワーク
１０・・・・カラオケ店
１１・・・・カラオケ専用機
【図１】
2015108700.tif 000003
【図２】
2015108700.tif 000004